(57)【要約】【課題】自動車に標準装備されているサンバイザー使用時において、そのサンバイザーの周囲（下側または横）から日差しが差し込む場合、その日差しの位置に合わせて、補助サンバイザーを縦または横方向にスライドさせ、サンバイザーの周囲から差し込む日差しを遮蔽することにある。【解決手段】縦長のガイド溝を有するスライドプレート１と、横長のガイド溝を有する支持プレート２と、前記縦長のガイド溝と前記横長のガイド溝の両方にスライド自在に挿入されているガイドピン３と、前記スライドプレート１を前記支持プレート２に押し付けるバネ部材５と、前記支持プレート２に設けられた装着部材２aとを設け、前記スライドプレート１を、前記支持プレート２に前記ガイドピン３を介して、縦横両方向にスライド自在に支持する。【選択図】図４
2009298359.tif 000002
【特許請求の範囲】
【請求項１】
縦長のガイド溝を有するスライドプレートと、横長のガイド溝を有する支持プレートと、前記縦長のガイド溝と前記横長のガイド溝の両方にスライド自在に挿入されているガイドピンと、前記スライドプレートを前記支持プレートに押し付けるバネ部材と、前記支持プレートに設けられた装着部材とを備え、前記スライドプレートは、前記支持プレートに前記ガイドピンを介して、縦横両方向にスライド自在に支持されていることを特徴とする補助サンバイザー。
【請求項２】
横長のガイド溝を有するスライドプレートと、縦長のガイド溝を有する支持プレートと、前記横長のガイド溝と前記縦長のガイド溝の両方にスライド自在に挿入されているガイドピンと、前記スライドプレートを前記支持プレートに押し付けるバネ部材と、前記支持プレートに設けられた装着部材とを備え、前記スライドプレートは、前記支持プレートに前記ガイドピンを介して、縦横両方向にスライド自在に支持されていることを特徴とする補助サンバイザー。
【請求項３】
請求項１乃至２のいずれか１つに記載の補助サンバイザーにおいて、前記ガイドピンは、前記バネ部材の押し付け力の調整機能を備えていることを特徴とする補助サンバイザー。
【発明の詳細な説明】
【技術分野】
【０００１】
本発明は、自動車の運転席や助手席の上部に配備されたサンバイザーに取り付け使用する、自動車用補助サンバイザーに関する。          
【背景技術】
【０００２】
自動車用サンバイザーは、運転者あるいは助手席の同乗者が太陽の日差しを遮るために主に使用されており、視界を確保して安全運転を図ったりすることなどに役立っている。
【０００３】
従来、この種のサンバイザーは、自動車の天井に取り付けられていて、使用する必要がないときには天井に重なり合う退避位置に収容することができ、使用する必要が生じたときには、退避位置からフロントウインドの上部を覆う光遮蔽位置に揺動させてフロントウインド側で太陽の日差しを遮蔽するか、または退避位置からサイドウインド側に揺動させてサイドウインド側で太陽の日差しを遮蔽する。
【０００４】
ところで、自動車用サンバイザーは、上記のようにフロントウインド側やサイドウインド側に揺動する構造ではあるが、限られた大きさであるため、サンバイザーの周囲（下側または横）から差し込む日差しには対応できないという問題があった。
【０００５】
そこで、この問題を解決するために、例えば、特許文献１の自動車用ツインサンバイザーでは、自動車に標準装備されているサンバイザーを改良し、サンバイザーの下側に揺動する補助サンバイザーを装着して、前方や横から差し込む低い角度の日差しに対応できるようにしている。
【０００６】
特許文献２の自動車用サブサンバイザーでは、サブサンバイザーの形状を自動車に標準装備されているサンバイザーに覆いかぶせる形（Ｕ字形または筒型）に成型して装着し、サンバイザーに対して左右にスライドできる形状を持たせている。これにより、サンバイザーの左側または右側より日差しが差し込む時は、サブサンバイザーをサンバイザーに対して左または右にスライドし、日差しを減光または遮光するようにしている。また、車のサイドウインド側からの日差しに対しても同様に、サンバイザーをサイドウインド側に揺動させてからサブサンバイザーをサンバイザーに対して左または右にスライドし、日差しを減光または遮光するようにしている。
【特許文献１】特開２００２−２０５５５４４号  公報
【特許文献２】特開２００４−３３８６９１号  公報
【発明の開示】
【発明が解決しようとする課題】
【０００７】
しかしながら、上記特許文献１の発明では、サンバイザーの下側から差し込む低い角度の日差しには対応できるが、サンバイザーの横（左側または右側）から差し込む日差しには対応できないという問題がある。また、上記特許文献２の発明では、サンバイザーの横から差し込む日差しには対応できるが、サンバイザーの下側から差し込む日差しには対応できないという問題がある。
【０００８】
本発明は、かかる点に鑑みてなされたものであり、その目的とするところは、自動車に標準装備されているサンバイザー使用時において、そのサンバイザーの周囲（下側または横）から日差しが差し込む場合、その日差しの位置に合わせて、補助サンバイザーを縦または横方向にスライドさせ、サンバイザーの周囲から差し込む日差しを遮蔽することにある。
【課題を解決するための手段】
【０００９】
上記の目的を達成するために、本発明では、縦長のガイド溝を有するスライドプレートと、横長のガイド溝を有する支持プートと、前記縦長のガイド溝と前記横長のガイド溝の両方にスライド自在に挿入されているガイドピンと、前記スライドプレートを前記支持プレートに押し付けるバネ部材と、前記支持プレートに設けられた装着部材とを備え、前記スライドプレートは、前記支持プレートに前記ガイドピンを介して、縦横両方向にスライド自在に支持されている。
【００１０】
上記の構成によると、スライドプレートが縦横両方向にスライド自在となるため、サンバイザーの下側または横から差し込む日差しのどちらでも遮蔽することが可能となる。また、スライドプレートを下側にスライドさせた状態のまま、横方向にスライドさせることや、横方向にスライドさせた状態のまま、下側にスライドさせることも可能となるため、サンバイザーの周囲から差し込む日差しを広範囲にわたって遮蔽することができる。また、スライドプレートは、バネ部材の押し付け力によって、可動範囲内の任意の位置で常に保持される。
【００１１】
また、前記スライドプレートのガイド溝が横長に形成され、前記支持プレートのガイド溝が縦長に形成されていても同様の効果が得られる。
【００１２】
また、前記ガイドピンは、前記バネ部材の押し付け力の調整機能を備えているのが望ましい。
【００１３】
上記の構成によると、支持プレートに対するスライドプレートの保持力が弱い際は、バネ部材の押し付け力を強くし、逆に押し付け力が強くてスライドプレートの動きが重い際は、バネ部材の押し付け力を弱くすることできる。
【発明の効果】
【００１４】
以上説明したように、本発明の補助サンバイザーによれば、サンバイザーの下側または横から差し込む日差しのどちらでも遮蔽することができると共に、スライドプレートを下側にスライドさせた状態のまま、横方向にスライドさせることや、横方向にスライドさせた状態のまま、下側にスライドさせることも可能となるため、サンバイザーの周囲から差し込む日差しを広範囲にわたって遮蔽することができる。また、スライドプレートは、バネ部材の押し付け力によって、可動範囲内の任意の位置で常に保持される。
【００１５】
また、請求項３によれば、ガイドピンは、バネ部材の押し付け力の調整機能を備えているため、支持プレートに対するスライドプレートの保持力が弱い際は、バネ部材の押し付け力を強くし、逆に押し付け力が強くてスライドプレートの動きが重い際は、バネ部材の押し付け力を弱くすることできる。
【発明を実施するための最良の形態】
【００１６】
以下、本発明の実施形態を図面に基づいて説明する。
【００１７】
図１〜図６に本発明の実施形態にかかる自動車用補助サンバイザーを示す。本発明は、縦長のガイド溝（２ヶ所）が設けられたスライドプレート１と、横長のガイド溝（２ヶ所）が設けられた支持プレート２と、縦長のガイド溝と横長のガイド溝の両方にスライド自在に挿入されているガイドピン３と、支持プレートに設けられた装着部材２aとを備えている。これによって、スライドプレート１は、支持プレート２にガイドピン３を介して、縦横両方向にスライド自在に支持される。
【００１８】
また、図６に示すように、上記ガイドピン３は、バネ部材５と、ワッシャー６を介してスライドプレート１と支持プレート２のガイド溝に挿入され、ガイドピン３の先端のネジ部は、ワッシャー６を介してナット４で締結されている。そして、スライドプレート１は、バネ部材５の押し付け力によって、可動範囲内の任意の位置で常に保持される。
【００１９】
また、図６に示すように、上記ガイドピン３の上面部は、マイナス溝が設けられていて、その溝にマイナスドライバーまたは、コイン等を差し込んで、ガイドピン３を回すことができる。それによって、ガイドピン３の先端のネジ部とナット４は締め付け可能となり、スライドプレート１を支持プレート２に保持させているバネ部材５の押し付け力が調整可能となる。
【００２０】
また、図５に示すように、上記支持プレート２は、装着部材２ａが設けられていて、自動車内の標準サンバイザーに装着可能となっている。
【実施例】
【００２１】
次に、本発明の具体的な実施例について図面に基づいて説明する。
【００２２】
日差しがフロントウインドの上側から差し込む場合、標準装備サンバイザーを下方向に揺動させれば日差しを遮蔽できるが、朝夕など太陽が低い位置にある場合、標準装備サンバイザーの更に下側から日差しが差し込む為、標準装備サンバイザーだけでは日差しを遮蔽することができない。そのとき、標準装備サンバイザーに装着部材２ａによって装着した、補助サンバイザーのスライドプレート１を、図２に示すように必要な位置まで下方向にスライドさせれば、標準装備サンバイザーの下側から差し込む日差しも遮蔽することができる。
【００２３】
また、車の進行方向によって、日差しがサイドウインドの低い位置から差し込む場合、標準装備サンバイザーを下方向に揺動させた後、サイドウインド側に揺動させ、更に補助サンバイザーのスライドプレート１を、図２に示すように必要な位置まで下方向にスライドさせれば、標準装備サンバイザーの下側から差し込む日差しも遮蔽することができる。
【００２４】
また、日差しがフロントウインドの上側中央付近から差し込む場合、標準装備サンバイザーを下方向に揺動させても、標準装備サンバイザーの横から日差しが差し込むことになり、標準装備サンバイザーだけでは日差しを遮蔽することができない。そのとき、補助サンバイザーのスライドプレート１を、図３に示すように必要な位置まで横方向（左側または右側）にスライドさせれば、標準装備サンバイザーの横から差し込む日差しも遮蔽することができる。
【００２５】
また、車の進行方向によって、日差しがサイドウインドのやや後方から差し込む場合、標準装備サンバイザーをサイドウインド側に揺動させても、標準装備サンバイザーの横後方から日差しが差し込むことになり、標準装備サンバイザーだけでは日差しを遮蔽することができない。そのとき、更に補助サンバイザーのスライドプレート１を、図３に示すように必要な位置まで横方向（右側または左側）にスライドさせれば、標準装備サンバイザーの横後方から差し込む日差しを遮蔽することができる。
【００２６】
従って、本発明の補助サンバイザーを使用すると、標準装備サンバイザーの周囲（下側または横）から日差しが差し込む場合、その日差しの位置に合わせて、スライドプレート１を、必要な位置まで上下左右にスライドさせて日差しを遮蔽することができる。また、図４に示すように下方向にスライドさせた状態のまま、横方向にスライドさせることや、横方向にスライドさせた状態のまま、下方向にスライドさせることもできる為、日差しの遮蔽可能範囲が広く、車の進行方向による日差しの位置の変化にも柔軟に対応することができる。
【００２７】
また、スライドプレート１の材質を樹脂製の半透明な物にすれば、日差しを減光しながら、ある程度の視界も確保することができる。
【００２８】
なお、以上の実施形態は、本質的に好ましい例示であって、本発明、その適用物や用途の範囲を制限することを意図するものではない。
【産業上の利用可能性】
【００２９】
以上説明したように、本発明は、自動車の運転席や助手席の上部に配備されたサンバイザーに取り付けて、サンバイザーの周囲から差し込む日差しを遮蔽する自動車用補助サンバイザーについて有用である。
【図面の簡単な説明】
【００３０】
【図１】スライド機能を使用する前の状態にある本発明の実施形態にかかる自動車用補助サンバイザーを示す斜視図である。
【図２】縦方向にスライドさせた状態にある本発明の実施形態にかかる自動車用補助サンバイザーを示す斜視図である。
【図３】横方向にスライドさせた状態にある本発明の実施形態にかかる自動車用補助サンバイザーを示す斜視図である。
【図４】縦・横両方向にスライドさせた状態にある本発明の実施形態にかかる自動車用補助サンバイザーを示す斜視図である。
【図５】スライドプレートと支持プレートを分離した状態と、支持プレートに設けられた装着部材を示す斜視図である。
【図６】スライドプレート及び支持プレートにガイドピンを挿入し、固定した状態を示す断面図である。
【符号の説明】
【００３１】
１    スライドプレート
２    支持プレート
２ａ  装着部材
３    ガイドピン
４    ナット
５    バネ部材
６    ワッシャー
【図１】
2009298359.tif 000003
【図２】
2009298359.tif 000004
【図３】
2009298359.tif 000005
【図４】
2009298359.tif 000006
【図５】
2009298359.tif 000007
【図６】
2009298359.tif 000008